(57)【要約】【課題】シーブからロープが外れるのを防止するロープ外れ止めを取り付けるに当たり、専用の取付部品が必要とはならないエレベータのロープ外れ防止構造を提供する。【解決手段】本発明のエレベータのロープ外れ防止構造は、エレベータの乗りかご１を昇降させるロープ６が掛けられるシーブ７２と、このシーブ７２の上部を覆うシーブカバー７３と、シーブ７２からロープ６が外れることを防止するロープ外れ止め８１とを備えている。本発明のロープ外れ防止構造は、ロープ外れ止め８１が、シーブカバー７３に設けられている。【選択図】図１
2015044675.tif 000002
【特許請求の範囲】
【請求項１】
エレベータの乗りかごを昇降させるロープが掛けられるシーブと、
このシーブの上部を覆うシーブカバーと、
前記シーブから前記ロープが外れることを防止するロープ外れ止めと
を備えたエレベータのロープ外れ防止構造であって、
前記ロープ外れ止めが前記シーブカバーに設けられている
ことを特徴とするエレベータのロープ外れ防止構造。
【請求項２】
前記シーブカバーは、
前記シーブの上方に配置される天面部の両側に設けられて前記シーブの軸方向の両側の面に沿った側面部と、
前記側面部のうちのいずれか一方に設けられた取付部と
を備え、
当該シーブカバーは片持ち梁構造となっている
ことを特徴とする請求項１に記載のエレベータのロープ外れ防止構造。
【請求項３】
前記シーブカバーは、前記シーブの上方に配置される天面部の両側に設けられて前記シーブの軸方向の両側の面に沿った側面部を備えており、
前記側面部には、前記シーブの軸方向にみて前記シーブとは重ならない位置に配置された延出部が設けられており、
前記ロープ外れ止めは前記延出部間に架設されている
ことを特徴とする請求項１または２に記載のエレベータのロープ外れ防止構造。
【発明の詳細な説明】
【技術分野】
【０００１】
本発明は、エレベータのロープ外れ防止構造に関する。
【背景技術】
【０００２】
特許文献１には、従来のエレベータのロープ外れ防止構造が開示されている。この特許文献１記載のロープ外れ止め装置は、ロープガード本体と、取付金具とを備えている。ロープガード本体は、ロープに近接対向するよう配置された状態で取付金具に固定される。取付金具は、エレベータ巻上機に固定される。これにより、ロープ外れ止め装置は、シーブからロープが脱落するのを防ぐ。
【先行技術文献】
【特許文献】
【０００３】
【特許文献１】特開２００９−９６５７１号公報
【発明の概要】
【発明が解決しようとする課題】
【０００４】
ところでこの取付金具は、ロープガード本体を固定するために設けられているものである。このように従来の構造では、ロープガード本体をロープに近接するよう取り付けるに当たって、ロープガード本体以外にも、専用の取付部品（特許文献１では取付金具）が必要となって、部品点数が多くなってしまうという問題があった。
【０００５】
本発明は、上記事情に鑑みてなされたものであり、その目的とするところは、シーブからロープが外れるのを防止するロープ外れ止めを取り付けるに当たり、専用の取付部品が必要とはならないエレベータのロープ外れ防止構造を提供することにある。
【課題を解決するための手段】
【０００６】
本発明のエレベータのロープ外れ防止構造は、エレベータの乗りかごを昇降させるロープが掛けられるシーブと、このシーブの上部を覆うシーブカバーと、前記シーブから前記ロープが外れることを防止するロープ外れ止めとを備えたエレベータのロープ外れ防止構造であって、前記ロープ外れ止めが前記シーブカバーに設けられていることを特徴とする。
【０００７】
またこのエレベータのロープ外れ防止構造において、前記シーブカバーは、前記シーブの上方に配置される天面部の両側に設けられて前記シーブの軸方向の両側の面に沿った側面部と、前記側面部のうちのいずれか一方に設けられた取付部とを備え、当該シーブカバーは片持ち梁構造となっていることが好ましい。
【０００８】
またこのエレベータのロープ外れ防止構造において、前記シーブカバーは、前記シーブの上方に配置される天面部の両側に設けられて前記シーブの軸方向の両側の面に沿った側面部を備えており、前記側面部には、前記シーブの軸方向にみて前記シーブとは重ならない位置に配置された延出部が設けられており、前記ロープ外れ止めは前記延出部間に架設されていることが好ましい。
【発明の効果】
【０００９】
本発明のエレベータのロープ外れ防止構造によれば、シーブからロープが外れるのを防止するロープ外れ止めを取り付けるに当たり、専用の取付部品を使用しないで取り付けることができる。
【図面の簡単な説明】
【００１０】
【図１】本実施形態の駆動装置の斜視図である。
【図２】本実施形態のエレベータの全体斜視図である。
【図３】本実施形態の駆動装置の側面図である。
【発明を実施するための形態】
【００１１】
以下、本発明の実施形態について添付図面に基づいて説明する。
【００１２】
本実施形態のエレベータのロープ外れ防止構造は、図２に示すエレベータに適用される。本実施形態のエレベータは、ロープ式の中低層共同住宅用エレベータであり、下階９２と上階９１とに亙って設置される。エレベータは、乗りかご１と、昇降路１５と、駆動装置４と、戸開装置２と、制御装置３とを備えている。
【００１３】
なお、本実施形態のエレベータは、２階建ての建物に設置されたものであるが、３階建て以上の建物に設置されてもよい。
【００１４】
以下においては、図２に示すように、ユーザーが乗りかご１を出入りする方向を前後方向とし、出入りする方向に直角な水平方向を左右方向として定義する。
【００１５】
乗りかご１は、直方体状の箱体により形成されている。乗りかご１は、昇降路１５に沿って上下方向に移動自在となっている。乗りかご１は、内外を貫通する出入口１１と、出入口１１に開閉自在に設けられた内扉１２と、内扉１２を駆動させる開閉駆動部１３と、制御部１４とを備えている。
【００１６】
制御部１４は、乗りかご１の上端部に載設されている。制御部１４は、開閉駆動部１３に電気的に接続されている。制御部１４は、開閉駆動部１３を制御する。具体的に、制御部１４は、乗りかご１が所定の階に到着すると内扉１２を開放させ、また、乗りかご１の昇降動作中には、内扉１２を閉塞状態に保つように開閉駆動部１３を制御する。
【００１７】
昇降路１５は、下階９２と上階９１とに亙って設けられている。昇降路１５は、上下方向に長さを有している。昇降路１５の下端は、下階９２の下面よりも凹没した凹所（図示せず）内に配置されている。また、昇降路１５の上端は、上階９１の天井とほぼ同じ高さ位置に配置されている。昇降路１５は、下端から上端の全長に亙って連続して設けられている。
【００１８】
昇降路１５には、出入口枠１６が固設されている。出入口枠１６には、開閉自在な外扉１９と、この外扉１９を開閉させる戸開装置２とが設けられている。本実施形態のエレベータは、出入口枠１６として、上階９１に設けられた上枠部１７と、下階９２に設けられた下枠部１８とを備えている。上枠部１７には、制御装置３が並設されている。
【００１９】
制御装置３は、エレベータ全体の制御を行う。制御装置３は、例えば、エレベータの主電源をオンオフしたり、いわゆる戸開走行保護装置の作動を制御したりする。なお、戸開走行保護装置は、乗りかご１及び昇降路１５の扉（内扉１２，外扉１９）が閉じる前に乗りかご１が昇降動作した場合等に、自動的に乗りかご１を停止させる装置である。
【００２０】
戸開装置２は、外扉１９を開閉駆動させる。戸開装置２は、内扉１２の動きに連動して、外扉１９を駆動させるように構成されている。乗りかご１が上階９１に到着すると、乗りかご１に載設された制御部１４は、内扉１２を開放させるよう開閉駆動部１３を制御する。すると、上階９１の戸開装置２が、内扉１２の開動作に連動して外扉１９を開放させる。また、同様に、乗りかご１が下階９２に到着すると、乗りかご１に載設された制御部１４が、内扉１２を開放させるよう開閉駆動部１３を制御し、下階９２の戸開装置２が、内扉１２の開動作に連動して外扉１９を開放させる。
【００２１】
昇降路１５の上端には、駆動装置４が設けられている。駆動装置４は、乗りかご１を昇降路１５に沿って昇降させるための駆動源となる。駆動装置４は、昇降路１５の上端に固定された設置架台５と、巻き上げ機７と、巻き上げ機７と乗りかご１とを連結するロープ６とを備えている。
【００２２】
ロープ６は、例えば、鋼線等からなるワイヤーにより構成される。ロープ６の一端には、乗りかご１の上端が連結され、他端にはウエイト６１が連結される。ロープ６の中間部分には、後述の巻き上げ機７が介装されている。なお、ロープ６の材質は鋼線に限らない。
【００２３】
設置架台５は、巻き上げ機７を昇降路１５に固定するためのものである。設置架台５は、図１に示すように、下横枠５１と、縦枠５２と、上横枠５３と、基台５４とを備えている。
【００２４】
下横枠５１は、昇降路１５の上端に固定される。下横枠５１は前後方向に長さを有し、左右方向に幅を有している。縦枠５２は、下横枠５１の長さ方向の両端から上方に向かって突設されている。上横枠５３は、縦枠５２の上端に固定されている。上横枠５３は、縦枠５２同士に架設されている。基台５４は、下横枠５１の上面に固定される。基台５４には、巻き上げ機７が載設される。なお、下横枠５１と縦枠５２と上横枠５３と基台５４との部材同士の固定は、ボルト等の固着具や溶接によって行われる。
【００２５】
巻き上げ機７は、ロープ６を介して乗りかご１を昇降させる。巻き上げ機７は、図１に示すように、モータ７１と、シーブ７２と、シーブカバー７３と、ロープ外れ止め８１とを備えている。
【００２６】
モータ７１は、上下方向に長さを有する縦型の減速機付きモータである。モータ７１は、図３に示すように、駆動部７１０と減速機７１１とにより構成される。駆動部７１０と減速機７１１とは、フランジ部７１２，７１３を介して接続される。モータ７１は、前後方向に平行な回転軸を有する出力軸（図示せず）を有している。
【００２７】
シーブ７２は、モータ７１の出力軸に取り付けられる。シーブ７２は、正面視円形状となっており、その中心がモータ７１の出力軸に固定される。シーブ７２には、ロープ６が掛けられる。シーブ７２の外周面には鍔部８４が設けられている。鍔部８４は、シーブ７２の外周面の軸方向の両端から、径方向外側に向かって突出している。また、シーブ７２は、軸方向の両側に面を有している。この面は、本実施形態においては、鍔部８４の外面を含む面によって構成されているが、鍔部８４の外面のみにより構成されていてもよい。
【００２８】
シーブカバー７３は、シーブ７２の上部を覆う。シーブカバー７３は、ロープ６に付着した油等の飛散を防止するためのカバーである。シーブカバー７３は、天面部７７と、側面部７４と、取付部７９とを備えている。
【００２９】
天面部７７は、シーブ７２の上方に配置される。天面部７７は、左右方向に長さを有し、前後方向に幅を有している。天面部７７の長さ方向の中間部分には、上方に凹曲した曲面部７８が設けられている。曲面部７８は、上面が凸となり且つ下面が凹となっている。曲面部７８の下面と、シーブ７２の鍔部８４の先端との間には、隙間が介在しており、これにより、天面部７７は、鍔部８４の先端に接触しないように配置されている。
【００３０】
側面部７４は、天面部７７の幅方向の両端から下方に向かって延出している。側面部７４は、左右方向に長さを有し、上下方向に幅を有している。シーブカバー７３は、側面部７４として、シーブ７２のモータ７１側とは反対側の面に対向配置された第一側部７５と、シーブ７２のモータ７１側の面に対向配置された第二側部７６とを備えている。第一側部７５とシーブ７２のモータ７１側とは反対側の面との間には、隙間が介在している。また、第二側部７６とシーブ７２のモータ７１側の面との間にも隙間が介在している。すなわち、これら第一側部７５と第二側部７６とは、シーブ７２の軸方向のいずれかの面に沿って設けられている。
【００３１】
側面部７４は、本体部７４１と、延出部７４２とを備えている。本体部７４１は、前後方向にみて（つまりシーブ７２の軸方向にみて）シーブ７２と重なる位置に配置される。延出部７４２は、本体部７４１の長さ方向の両端から、同方向に平行な方向に延出している。延出部７４２は、前後方向にみて、シーブ７２とは重ならない位置に配置されている。延出部７４２には、固着具挿通孔（図示せず）が設けられている。本体部７４１と延出部７４２とは、同一部材によって構成されている。
【００３２】
取付部７９は、第二側部７６に設けられている。取付部７９は、例えば、Ｌ字状の取付脚部８０によって構成される。取付部７９は、モータ７１に固定されている（具体的には、減速機７１１のフランジ部７１３に固定されている。）。このように、取付部７９は、２つの側面部７４のうちのいずれか一方に設けられたものであり、これにより、図３に示すように、シーブカバー７３は片持ち梁構造となっている。
【００３３】
なお、取付部７９は、設置架台５に固定されてもよく、取付箇所は限定されない。
【００３４】
ロープ外れ止め８１は、シーブ７２からロープ６が外れるのを防止するものである。ロープ外れ止め８１が設けられていないと、乗りかご１が昇降する際、振動や揺れ等によりロープ６がシーブ７２から外れる可能性があるが、ロープ外れ止め８１が設けられることで、それを防止することができる。
【００３５】
ロープ外れ止め８１は、図１に示すように、シーブカバー７３の第一側部７５の延出部７４２と、第二側部７６の延出部７４２との間に架設される。言い換えると、ロープ外れ止め８１は、シーブカバー７３に設けられている。ロープ外れ止め８１は、シーブカバー７３の長さ方向の両端にそれぞれ設けられている。また、シーブ７２の軸方向に見て、ロープ外れ止め８１とシーブ７２の中心とを結ぶ直線と、シーブ７２の中心を通る水平線とのなす角度は、４５°以下となるように設定されている。
【００３６】
ロープ外れ止め８１は、前後方向に長さを有する棒状の部材によって構成されている。本実施形態のロープ外れ止め８１は、軸部８２と、大径部８３とによって構成されている。
【００３７】
軸部８２は、前後方向に平行となるよう配置される。軸部８２の長さ方向の端面には、雌ねじ部（図示せず）が設けられている。シーブカバー７３の延出部７４２の固着具挿通孔に、固着具が挿入され、この固着具が雌ねじ部にねじ込まれることで、軸部８２が取り付けられる。
【００３８】
大径部８３の直径は、軸部８２の直径よりも大きく形成されている。大径部８３は、シーブ７２の鍔部８４の先端に近接対向している。大径部８３の長さ方向の大きさは、図３に示すように、鍔部８４の対向間の寸法（鍔部８４の内面同士の間の寸法）よりも大きく形成されている。
【００３９】
なお、大径部８３は、軸部８２に対して回転自在となっていてもよいし、回転不能となっていてもよい。大径部８３が回転自在となっていると、仮に、片持ち梁状態のシーブカバー７３が垂れ下がって、大径部８３が鍔部８４に当接しても、天面部７７が鍔部８４に接触しないようにシーブカバー７３を支持することができる。もちろん、大径部８３が軸部８２に対して回転自在に構成されている場合、予め、大径部８３がシーブ７２の鍔部８４の先端に当接するように位置していてもよい。
【００４０】
以上説明したように、本実施形態のエレベータのロープ外れ防止構造は、シーブ７２と、シーブカバー７３と、ロープ外れ止め８１とを備えている。シーブ７２は、エレベータの乗りかご１を昇降させるロープ６が掛けられる。シーブカバー７３は、シーブ７２の上部を覆う。ロープ外れ止め８１は、シーブ７２からロープ６が外れることを防止する。そして、ロープ外れ止め８１は、シーブカバー７３に設けられている。
【００４１】
このため、本実施形態のエレベータの外れ防止構造によれば、ロープ外れ止め８１を取り付けるための専用の取付け部品が必要とならず、部品点数を減らすことができ、コストダウンを図ることができる。
【００４２】
また、本実施形態のシーブカバー７３は、側面部７４と、取付部７９とを備えている。側面部７４は、シーブ７２の上方に配置される天面部７７の両側に設けられ、これにより、シーブ７２の軸方向の両側の面に沿って配置される。取付部７９は、側面部７４のうちのいずれか一方に設けられている。そして、シーブカバー７３は、片持ち梁構造となっている。
【００４３】
このため、本実施形態のエレベータの外れ防止構造によれば、取付部７９の数量を少なくすることができ、さらなるコストダウンを図ることができる。
【００４４】
また、本実施形態のシーブカバー７３の側面部７４には、シーブ７２の軸方向にみて、シーブ７２とは重ならない位置に配置された延出部７４２が設けられている。そして、ロープ外れ止め８１は延出部７４２間に架設されている。
【００４５】
このため、本実施形態のエレベータのロープ外れ防止構造によれば、ロープ外れ止め８１がシーブカバー７３に設けられても、シーブカバー７３をコンパクトにすることができる。
【符号の説明】
【００４６】
１      乗りかご
１２    内扉
１５    昇降路
１６    出入口枠
１９    外扉
２      戸開装置
３      制御装置
４      駆動装置
５      設置架台
６      ロープ
７      巻き上げ機
７１    モータ
７２    シーブ
７３    シーブカバー
７４    側面部
７４１  本体部
７４２  延出部
７５    第一側部
７６    第二側部
７７    天面部
７８    曲面部
７９    取付部
８０    取付脚部
８１    ロープ外れ止め
８２    軸部
８３    大径部
８４    鍔部
９１    上階
９２    下階
【図１】
2015044675.tif 000003
【図２】
2015044675.tif 000004
【図３】
2015044675.tif 000005